(57)【要約】      （修正有）【課題】浄化担体の浄化作用を向上させることができる汚水浮遊物除去機の浄化担体引入構造を提供する。【解決手段】主にタンク１１、１２、出水口１５、担体導入端１６を含む。該タンク１１、１２は、汚水を引き入れる入水口１４を備える。該出水口１５は、タンクの予定位置に設けて、汚水を外方向に導き出す役割をする。該担体導入端１６は、タンクの入水口周辺エリアに設けて、浄化用高分子担体を導く役割をする。前記入水口１４には、気体液体混合装置２０を連結する。汚水はまず気泡添加作業を経て、更にタンク内に進入し該高分子担体４０と混合する。これにより、気泡添加段階における公知の高分子担体は分子構造が容易に圧力を受けて破壊されるという欠点を改善することができる。【選択図】図１
0003139562.tif 000002
【実用新案登録請求の範囲】
【請求項１】
装置本体を含む汚水浮遊物除去機の浄化担体引入構造であって、該装置本体は、第一タンク及び出水口を備えており、該第一タンクの下方箇所に設けた入水口は、汚水を第一タンク内に引き入れるものであり、該出水口は第一タンクの予定位置に設け、汚水を外方向に導き出すものであり、その内、該入水口前には気体液体混合装置を設け、且つ、気体液体混合装置の後に担体導入端を設け、浄化用高分子担体を導き入れるのに用いることを特徴とする、汚水浮遊物除去機の浄化担体引入構造。
【請求項２】
前記気体液体混合装置は入水口と連結することを特徴とする、請求項１に記載の汚水浮遊物除去機の浄化担体引入構造。
【請求項３】
前記担体導入端は、第一タンクの入水口近くに設けることを特徴とする、請求項１または請求項２に記載の汚水浮遊物除去機の浄化担体引入構造。
【請求項４】
前記装置本体には水槽構造を配置し、該水槽構造は汚水を入れる容置空間と、水槽内において気泡を発生させる装置を備え、並びに、該水槽構造は入水口と連結することを特徴とする、請求項１乃至請求項３の何れか１項に記載の汚水浮遊物除去機の浄化担体引入構造。
【請求項５】
前記出水口には導管を接続し、汚水を第二タンクに導くことを特徴とする、請求項１乃至請求項４の何れか１項に記載の汚水浮遊物除去機の浄化担体引入構造。
【請求項６】
前記第二タンク上にはタンク上方に位置する排出部を設けることを特徴とする、請求項５に記載の汚水浮遊物除去機の浄化担体引入構造。
【請求項７】
前記第一タンクには調和装置を配置し、垂直に第一タンク内に設けた撹拌動作部品を備えることを特徴とする、請求項１乃至請求項６の何れか１項に記載の汚水浮遊物除去機の浄化担体引入構造。
【請求項８】
前記第一タンクは径が小さく高さのある細長形状の輪郭を有していることを特徴とする、請求項１乃至請求項７の何れか１項に記載の汚水浮遊物除去機の浄化担体引入構造。
【請求項９】
前記第二タンク上には排除装置を配置することを特徴とする、請求項５または請求項６に記載の汚水浮遊物除去機の浄化担体引入構造。
【請求項１０】
前記出水口には導管を連結して汚水を第二タンクに引導し、且つ該第二タンク上には排除装置を配置することを特徴とする、請求項７または請求項８に記載の汚水浮遊物除去機の浄化担体引入構造。
【考案の詳細な説明】
【技術分野】
【０００１】
本考案は、汚水浮遊物除去機の浄化担体引入構造に係り、特に装置構造の組織配置形態に関し、浄化担体の浄化作用を向上させる構造に改良したものである。
【背景技術】
【０００２】
公知の汚水浮遊物除去装置の構造形態は、通常、汚水を入れるタンクを備えており、該タンク内に気泡を加え、水中の汚染物質はその気泡に付着した後水面に浮かんで泡浮遊物層を形成し、その後それを排除する仕組みになっている。このような汚水処理方式は、水資源をリサイクルでき、用水量を減少し、水資源を節約することができる。よって、多くは養殖漁業、汚水処理場、生活用水の二次使用に応用されている。
【０００３】
理解すべき点は、一般の浮遊物除去装置には、上述のタンクと気泡を加える構造を備える他、更に効果的に水中の汚染物質を除去する為に、撹拌装置を設置して気泡と汚染物質の接触を強化している点にある。また、処理する汚水中に汚れを付着する物質を加えており、それは例えば、有毒物質や特定汚染物を付着する高分子担体である。撹拌装置の助けを受けて、水中の汚染物質の付着を強化することにより、更にきれいな二次用水を得ることが可能となる。
【０００４】
典型的な汚水処理システムにおいては、水中に気泡を加える気体液体混合装置を設けたり、撹拌装置によって水液を動かして空気を汚水に含ませる工程がある。前述した水中の汚染物質をきれいにする高分子担体には、汚水中にて特定の汚染物質を付着したり、水中において気泡を取り込む構造を形成する作用があり、気泡が共同で、顆粒形態汚染物質の除去構造を形成するのを助けており、該汚染物を水面に引導して排出や除去を行う。
【考案の開示】
【考案が解決しようとする課題】
【０００５】
しかしながら、該高分子担体は、比較的脆弱な構造に属しており、前述の汚水に気泡を発生させたり水を叩く過程において、水中に形成される浄化構造は破壊され易い故、元々の担体が持つべき汚染物質の付着機能が低下してしまう。公知の汚水浮遊物除去機の構造を改めて設計する場合、それらに異なる組織配置を持たせることにより、該高分子担体の浄化効果を高め、汚水濾過浄化全体の効率を向上させることが可能となる。
【課題を解決するための手段】
【０００６】
本考案の主な目的は、汚水浮遊物除去機の浄化担体引入構造に関するものであり、それは、濾過工程において、該浄化担体を気体液体混合作業の後に加え入れ、水流が比較的緩やかな状況の下、汚染物質付着効果を完全に発揮するものである。
【０００７】
装置本体は、下方箇所に汚水を引き入れる為の入水口を設けた第一タンクと、該第一タンクの予定位置に設け、汚水を外方向に導き出す為の出水口と、汚水を第二タンクに導いて静置させる為の導管とを含む。その内、第一タンク上に設ける担体導入端は、該タンクの入水口周辺エリアに設置し、浄化用の高分子担体を導き入れるものである。該入水口は気体液体混合装置に連結しており、汚水はまず気泡添加作業を経て、更に該タンク内と該高分子担体を混合し、公知の高分子担体の分子構造が気泡添加段階において、圧力や外力を受けて破壊し易い欠点を改善する。
【考案の効果】
【０００８】
以上説明したように本考案の汚水浮遊物除去機の浄化担体引入構造は、濾過工程において、該浄化担体を気体液体混合作業の後に加え入れ、水流が比較的緩やかな状況の下、汚染物質付着効果を完全に発揮することができるという効果を奏する。
【考案を実施するための最良の形態】
【０００９】
本考案が有する新規性、特徴、目的と効果は、図面を添付した次の詳細説明によって更に理解を深めることができる。
【００１０】
図１、図２を参照すると、本考案の一実施例には、一つの装置本体１０を含む。該装置本体１０は、第一タンク１１を備えており、その下方箇所には汚水を引入する入水口１４を設ける。出水口１５は、該タンクの予定位置に設け、汚水を外方向に導き出す。また、導管１３で該汚水を第二タンク１２に引導し静置する。その内、該第一タンク１１上に担体導入端１６を設ける。該担体導入端１６は該第一タンク１１の入水口１４周辺エリアに設ける。本実施例において、該担体導入端１６は入水口１４上方に配置し、浄化用の高分子担体４０（図３参照）を導き入れている。該入水口１４は気体液体混合装置２０に連結しており、汚水はまず気体混合作業を経て、該第一タンク１１内に進入し該高分子担体４０に混合される故、公知の担体の分子構造が気泡添加段階において、圧力や外力を受けて破壊され易い欠点を改善する。
【００１１】
もう一つの実施例において、該入水口１４は水槽構造に連結することも可能であり、該水槽構造に汚水を入れる容置空間を備え、該水槽には、汚水中に気泡を加える為の気泡発生装置を設ける。
【００１２】
本考案の実施例において、該第一タンク１１は径が小さく高さのある細長形状の輪廓を有しており、気泡及び汚染除去物質が更に均等に汚水中に散布されるように、調和装置３０を取り付ける。それは、撹拌動作部品３１を備えたもので、該第一タンク１１内に設置し、汚水が該第一タンク１１の細長い空間に形成するルートを通った時、該調和装置３０は気泡及び汚染除去物質を十分に均等に汚水中に入れ、その後、第一タンク１１上方に設置した出水口１５から排出する。
【００１３】
図３に、本考案の汚水浄化の過程及び濾過方式を示す。気体を含んだ汚水が、気体液体混合装置２０から該入水口１４を経て、第一タンク１１の底部に引導された時、該第一タンク１１内の水位（または元々中にあった汚水）は上方向に上昇する。この上方向に水量が上昇する過程において、入水口１４上方位置にある担体導入端１６が導き入れる高分子担体４０もまた、これに従い、気泡を含む汚水中に進入混合される。また、該撹拌動作部品３１は、適当な回転速度によって連続的にこの汚水を撹拌し、汚水と気泡と高分子担体４０は均等に調和される。並びに、細長い流動ルートにおいて、該気泡と高分子担体４０は十分な時間で水中の気泡と汚染物質を付着する。
【００１４】
水位が該第一タンク１１上端近くの位置まで継続して上昇すると、汚水は、該出水口１５から外方向に流出、該導管１３に進入する。また、十分に気泡と高分子担体４０を混合した汚水は、導管１３の引導によって輪郭と構造が幅広である第二タンク１２に進入する。前述した汚水は、気泡を付着した高分子担体４０を十分に混合した後、第二タンク１２内で徐々に水面上方方向に浮かんで集まり、汚染物質を除去した浄水は該第二タンク１２下方に沈み、前述の気泡及び汚染物質を吸収した高分子担体４０は、徐々に該第二タンク１２上方に設置した排出部１７から外方向に溢れ出すか、該第二タンク１２上に配置した排除装置５０の働きによって外方向にこそぎ取り除かれる。上述した下方向に沈んだ濾過浄水液は、第二タンク１２下端に位置する出水孔１８より出て使用者に利用される。
【００１５】
該第一タンク１１は、汚水とそれらの水中雑質を除去するのに用いる物質を完全に調和させた後、更に、それを該第二タンク２０に導いて静置し、水液と汚染物質を沈澱した後に分離している。実際には、高分子担体４０供給の構造及び作業は、汚水への気泡混入作業後に行っている故、公知技術にあったように、高分子担体４０が気泡を混入する時の圧力影響や、水液を叩く過程において該作動部品が形成する外力干渉を受けることにより、汚水中に混入する高分子担体４０の構造が破壊され、該高分子担体４０の汚染物質付着効率を低下させることがない。
【００１６】
上述によると、本考案の汚水浮遊物除去機の浄化担体引入構造を、公知の浮遊物除去構造と比較すると、公知の浮遊物除去構造は、水中汚染物質除去の過程において、撹拌することにより高分子担体４０の分子構造が破壊され、浄化効率を低下させる欠点があったが、本考案では該担体導入端１６を新たに配置した形態により、確実に公知の技術欠点が改善され、汚染物質除去の効果向上という目的を達成し大進歩となった。
【００１７】
但し、上述したものは、本考案の実施例を説明する為のものであり、本考案の実施範囲を制限するものでないことを明記する。即ち、本考案の実用新案登録請求の範囲に基づいてなされた変化と修飾は全て、本考案の請求の範囲に含まれるものとする。
【図面の簡単な説明】
【００１８】
【図１】本考案実施例の立体見取図
【図２】本考案図１の局部構造見取図
【図３】本考案図１の実際の操作状態見取図
【符号の説明】
【００１９】
１０    装置本体
１１    第一タンク
１２    第二タンク
１３    導管
１４    入水口
１５    出水口
１６    担体導入端
１７    排出部
１８    出水孔
２０    気体液体混合装置
３０    調和装置
３１    撹拌動作部品
４０    高分子担体
５０    排除装置
【図１】
0003139562.tif 000003
【図２】
0003139562.tif 000004
【図３】
0003139562.tif 000005